(57)【要約】【課題】施工性、取り付け精度に優れた手すり用ブラケットで、手すり受け部が自在に回動可能で、垂直水平交差方向に手すりを取り付けることが可能で、しかも、垂直方向の手すりの取り付け角度が正面方向以外に右寄り又は左寄りにフレキシブルに自在となり大変使い勝手が良い手すり用ブラケットを提供する。【解決手段】２つの平担面と一つの凸曲面で囲まれた棒状体からなる断面形状が扇形である左右２個の分割体からなる台座と該台座の上に取り付けられる取り付け座とその上の支柱と手すり受け部とからなり、前記手すり受け部と支柱は接続ネジによって、回動自在に接続されており、前記取り付け座の凹曲面と分割体の凸曲面とはほとんど等しい曲率半径を有するようにした。【選択図】　　　　図１
2004115996.tif 000002
【特許請求の範囲】
【請求項１】
壁面の出隅部に取り付けることのできるブラケットであって、該ブラケットは、壁面の出隅部に取り付けられる台座と該台座の上に取り付けられるブラケット本体とからなり、該ブラケット本体は基部にある底面が凹曲面を有する取り付け座とその上の支柱とそれに続く手すり受け部とからなり、前記手すり受け部と支柱は接続ネジによって、回動自在に接続されており、前記台座は断面形状が扇形である左右２個の分割体からなっており、該分割体は半径を含む２つの平担面と該２平担面に囲まれた一つの凸曲面で囲まれた棒状体からなり、前記取り付け座の凹曲面と分割体の凸曲面とはほとんど等しい曲率半径を有していることを特徴とする出隅用フレキシブルブラケット。
【請求項２】
前記分割体の凸曲面の断面形状及び取り付け座の凹曲面の断面形状が円弧状であり、前記手すり用ブラケットの取り付け座に取り付け用小孔を設け、該取り付け用小孔に合わせた取り付け用小孔を前記左右２個の分割体の凸曲面の左右それぞれと、２個の分割体を当接させた正面の３カ所又はそれ以上に設けたことを特徴とする請求項１に記載の出隅用フレキシブルブラケット。
【請求項３】
前記請求項１又は２のいずれかに記載の出隅用フレキシブルブラケットにおいて、該ブラケットの左右分割体のそれぞれの平担面の一方をブラケット取り付け箇所の出隅部の壁面の傾斜面に合わせ、且つ、他方の平担面どうしを当接させ、取り付け孔を利用して壁下地材に木ネジ等で取り付け固定して台座となし、手すり用ブラケットのの基部にある取り付け座の凹曲面を前記台座の凸曲面に当接し、取り付け座の取り付け用小孔と台座の取り付け用小孔を位置合わせし、取り付け座を台座へ取り付け用ネジで取り付け固定することを特徴とする手すりの取り付け構造。
【発明の詳細な説明】
【０００１】
【発明の属する技術分野】
本発明は壁面の出隅部に取り付けることのできる出隅用ブラケット及び該ブラケットを用いた手すりの取り付け構造に関する。
【０００２】
【従来の技術】
従来、壁面の出隅部に手すりを取り付けるためには、図６に示すように、出隅コ−ナ−部Ｄに面取り部Ｒを設け、該面取り部Ｒにブラケット取り付け座を取り付けビス等で取り付けるか又は出隅コ−ナ−部Ｄに断面が略Ｌ字型の治具（図示せず）を介して取り付けるかいずれかであった。しかしこれらの方法のうち、前者においては、出隅コ−ナ−部Ｄに面取り部Ｒを特別に加工しなければならず、施工手間が余計にかかるという問題があり、また、後者においては、断面が略Ｌ字型の治具を別に用意しなければならないといった問題があった。
【０００３】
そこで、上記従来方法の問題点を解消するべく出隅部分において、背面に略Ｖ字状の切欠凹部を有する出隅用のスペ−サ−を特別に用意し、ブラケット基部の取り付け座を前記スペ−サ−に重ね、取り付けビスを打入して取り付けているものもある。（例えば、特許文献１参照。）。
【０００４】
【特許文献１】
特開２００１−３２４９０号公報（第２−３頁、第１図）
【０００５】
【発明が解決しようとする課題】
しかしながら、上記、特開２００１−３２４９０号公報に開示されている構成では、出隅部に取り付けた縦方向の手すり用ブラケットは出隅部正面方向に１方向にのみしか取り付けできず、取り付け状態で正面から見て右寄り又は左寄り方向に縦手すりを取り付けることができず、手すりを利用する者にとって、あまり便利であるとは言えなかった。特にお年寄りや体の不自由な人にとっては使用しずらい場合も多々あった。
【０００６】
また、お年寄りや体の不自由な人の居る家庭では、手すりは出隅部に縦方向のみでは当然に不足で、当然、横方向の手すりが必須であり、しかも特に出隅部においては縦手すりと横手すりを交差方向に設けることでよりいっそう安全な伝い歩きが可能となる。しかしながら、上記、特開２００１−３２４９０号公報に開示されている構成では、このように縦横手すりを交差方向に１種類のブラケットで対応することは至難の業であり、どうしても別々のブラケットと取り付け方法で、施工せざるを得ず、施工も複雑で施工手間もかかり、取り付けの精度、施工後の見た目の意匠的にも劣るものであった。
【０００７】
本発明の目的は、住宅内の壁面の出隅部に極めて簡単に精度良く取り付けでき、手すり受け部が縦方向横方向自在に回動自在とし、縦方向の手すりと横方向の手すりを同一のブラケットで取り付け可能となし、出隅部に縦横交差方向に手すりを取り付けることが可能で、しかも、縦方向の手すりの取り付け角度が正面方向以外に正面から見て、右寄り又は左寄りの取り付けがフレキシブルに自在となり、大変使い勝手が良く、しかもブラケットの在庫も１種類で良いので経済的な出隅用フレキシブルブラケット及び該ブラケットを用いた手すりの取り付け構造を安価に提供することにある。
【０００８】
【課題を解決するための手段】
上記目的を達成するために本発明に係る請求項１に記載の発明は、壁面の出隅部に取り付けることのできるブラケットであって、該ブラケットは、壁面の出隅部に取り付けられる台座と該台座の上に取り付けられるブラケット本体とからなり、該ブラケット本体は基部にある底面が凹曲面を有する取り付け座とその上の支柱とそれに続く手すり受け部とからなり、前記手すり受け部と支柱は接続ネジによって、回動自在に接続されており、前記台座は断面形状が扇形である左右２個の分割体からなっており、該分割体は半径を含む２つの平担面と該２平担面に囲まれた一つの凸曲面で囲まれた棒状体からなり、前記取り付け座の凹曲面と分割体の凸曲面とはほとんど等しい曲率半径を有していることを特徴とする。
【０００９】
係る構成から、前記台座が断面形状が扇形である左右２個の分割体からなっており、該分割体は半径を含む２つの平担面と該２平担面に囲まれた一つの凸曲面で囲まれた棒状体からなっているので、前記分割体の平担面どうしを当接させて台座となし、該台座の他方の平担面どうしを出隅部の壁面の傾斜面に沿うようにして設置すれば出隅用台座となる。このように、出隅用のブラケットの台座が極めて簡単に精度良く形成でき、この台座の上に取り付け座とその上の支柱とそれに続く手すり受け部を取り付ければ出隅用ブラケットが完成する。
【００１０】
また、前記手すり受け部と支柱は接続ネジによって、回動自在に接続されているので、出隅部に台座を取り付け、その上に取り付け座を取り付けてから手すり受け部の回動孔と接続ネジを利用すると、手すり受け部の取り付け方向の角度が回動自在となるので、縦方向の手すりと横方向の手すりを同一のブラケットで取り付け可能であり、従って、出隅部に縦横交差方向に手すりを取り付けることが可能なるので、大変使い勝手の良いものとなる。しかも、ブラケットの在庫も１種類で良いので大変経済的である。
【００１１】
本発明の請求項２に記載の発明は、請求項１に記載の発明において、前記分割体の凸曲面の断面形状及び取り付け座の凹曲面の断面形状が円弧状であり、前記手すり用ブラケットの取り付け座に取り付け用小孔を設け、該取り付け用小孔に合わせた取り付け用小孔を前記左右２個の分割体の凸曲面の左右それぞれと、２個の分割体を当接させた正面の３カ所又はそれ以上に設けたことを特徴とする。
【００１２】
係る構成から、縦方向の手すりの場合、取り付け角度が正面方向以外に、正面から見て、右寄り又は左寄りの取り付け位置を自由に選択可能で、手すり取り付け位置がフレキシブルに自在なものとなるので使用者にとって、よりいっそう使い勝手の良いものとなる。
【００１３】
本発明の請求項３に記載の発明は、手すりの取り付け構造において、前記請求項１又は２のいずれかに記載の出隅用フレキシブルブラケットにおいて、該ブラケットの左右分割体のそれぞれの平担面の一方をブラケット取り付け箇所の出隅部の壁面の傾斜面に合わせ、且つ、他方の平担面どうしを当接させ、取り付け孔を利用して壁下地材に木ネジ等で取り付け固定して台座となし、手すり用ブラケットのの基部にある取り付け座の凹曲面を前記台座の凸曲面に当接し、取り付け座の取り付け用小孔と台座の取り付け用小孔を位置合わせし、取り付け座を台座へ取り付け用ネジで取り付け固定することを特徴とする。
【００１４】
係る構成から、前記台座が断面形状が扇形である左右２個の分割体からなっており、該分割体は半径を含む２つの平担面と該２平担面に囲まれた一つの凸曲面で囲まれた棒状体からなっているので、前記分割体の平担面どうしを当接させて台座となし、該台座の他方の平担面どうしを出隅部の壁面の傾斜面に沿うようにして設置すれば、出隅用のブラケットの台座が極めて簡単に精度良く形成でき、この台座の上に取り付け座とその上の支柱とそれに続く手すり受け部を取り付ければ出隅用ブラケットが完成する。
【００１５】
また、前記手すり受け部と支柱は接続ネジによって、回動自在に接続されているので、出隅部に台座を取り付け、その上に取り付け座を取り付けてから手すり受け部の回動孔と接続ネジを利用すると、手すり受け部の取り付け方向の角度が回動自在となるので、縦方向の手すりと横方向の手すりを同一のブラケットで取り付け可能であり、しかも、縦方向の手すりの取り付け角度が正面方向以外に正面から見て、右寄り又は左寄りの取り付けがフレキシブルに自在なものとなるので、出隅部に縦横交差方向に手すりを取り付けることが可能なり、使用者にとって大変使い勝手の良いものとなる。
【００１６】
【発明の実施の形態】
以下、本発明の実施の形態の一例を説明する。図１は本発明に係る出隅用フレキシブルブラケットの実施の形態の一例を示す斜視図である。図２は本発明に係るブラケット本体の実施の形態の一例を示す斜視図である。図３は出隅部への取り付け状態を示す断面図である。図４は本発明の回動自在な手すり受け部の説明図で手すり本体を正面から見たところを示す。図５は本発明のブラケットの出隅部への取り付け例を示す斜視図である。
【００１７】
図１〜３において、１はブラケット本体を示し、その上部先端は手すり本体１２を載置する手すり受け部１ａとなっており、下端は台座２に重ね合わせるように載置される取り付け座１ｂとなっており、該取り付け座１ｂの底面は凹曲面１ｄを有している。手すり受け部１ａと取り付け座１ｂは支柱１ｃによって相互に連結されている。また、前記手すり受け部１ａの底には雌ネジを設けた回動孔ｈが設けられており、支柱１ｃは筒状で内面に同ピッチの雌ネジが設けられている。
【００１８】
このようにして、手すり受け部１ａと支柱１ｃは接続ネジＪによって接続され、手すり受け部１ａを適当な角度だけ回転させて、そこで接続ネジＪを固く締めて固定すれば手すり受け部１ａは、回転させた状態でしっかりと固定できる。このように、手すり受け部１ａと支柱１ｃは接続ネジＪによって回動自在となっている。
【００１９】
一方、台座２は出隅部Ｄの壁下地材６と柱７に直接取り付けられる。該台座２は断面形状が扇形である左右２個の分割体２ａからなっており、該分割体２ａは半径を含む２つの平担面とそれらに囲まれる凸曲面４を有しており、一方の平担面は前記分割体どうしを当接させる際の合接面５となし、他方の平担面は出隅部Ｄの壁下地材６に沿って取り付けられる傾斜底面３となっている。前記分割体２ａは、前記２平担面すなわち傾斜底面３と合接面５と凸曲面４で囲まれた棒状体からなっている。さらに、前記取り付け座１ｂの断面及び前記分割体２ａの凸曲面４の断面が円弧状に湾曲しており、それぞれの曲率半径はほぼ等しい関係にあり、取り付け座１ｂの湾曲した面を凹曲面１ｄとする。該凹曲面１ｄを分割体２ａを当接させて形成した台座２の凸曲面４に沿わせて移動させることで、ブラケット本体１を台座２の凸曲面上を左右に自在に移動させることが可能な構造となっている。例えば、出隅部Ｄへのブラケットの取り付け状態において、ブラケット本体１を、正面から見て右側、左側、正面のように台座２の凸曲面４上を移動させることができる。
【００２０】
また、前記合接面５には、２個の分割体２ａを木ネジＭなどで取り付け固定するための取り付け孔ｐが貫通状態で設けられている。また、前記、取り付け座１ｂ及び台座２の所定位置にブラケット本体１と台座２を取り付けネジＮで取り付けるための取り付け用小孔ｓが設けられており、ブラケット本体１と台座２の取り付け用小孔ｓの位置はそれぞれ対応関係にあり位置合わせされている。さらに、台座２に設けられた前記取り付け用小孔ｓはブラケット本体１の取り付け状態において、正面から見てブラケット本体１を右側、左側、正面の３カ所に取り付け可能なようにそれぞれ３カ所に対応した位置に設けられている。本例ではこれらの３カ所であるが使用条件によっては２カ所の方が使い勝手がよい場合もあるし４カ所以上とした方が使い勝手がよい場合もある。２〜４カ所又はそれ以上の場合も本発明の応用として可能である。
【００２１】
出隅部Ｄへ取り付ける場合は、図３に示すように、前記分割体２ａの合接面５どうしを当接させ、相互にずれがないか、合接面５間に隙間が生じないよう確認後、取り付け孔ｐを介して木ネジＭを出隅部Ｄの壁下地材６及び柱７へねじ込んで分割体２ａを出隅部Ｄへしっかりと固定し台座２が完成する。
【００２２】
次に、ブラケット本体１の取り付け位置を正面にするか、右側又は左側にするかを決める。そして、ブラケット本体１の取り付け座１ｂにある取り付け用小孔ｓを台座２にある取り付け用小孔ｓと位置合わせし取り付け用ネジＮをねじ込んでしっかりと固定する。このようにして、出隅部Ｄへのブラケットの取り付けが完了する。また、施工後ある期間が経ってからリフォ−ムする際に、手すり本体の設置位置を正面にするか、右側又は左側にするかが極めて簡単に変更できる。取り付けネジＮを外してブラケット本体１の取り付け座１ｂの底面の凹曲面１ｄを台座２の凸曲面４に沿わせて変更箇所まで移動させ、そこで改めて同様の手順でブラケット本体１を取り付け固定すればよい。
【００２３】
手すり本体１２を出隅部Ｄの縦方向に垂直に設置するか又は横方向に水平に設置するかの選択が簡単に可能となる。それぞれの場合で使い勝手の良い方向に手すり本体を設置することが可能となる。また、施工後ある期間が経ってからリフォ−ムする際に、手すり本体の設置方向を垂直から水平方向に、また逆に水平方向から垂直方向に変更することが極めて簡単にできる。手すり本体１２を取り外し、手すり受け部１ａの底にある接続ネジＪをゆるめて手すり受け部１ａを垂直又は水平方向に合わせて回転させてその位置で接続ネジＪをしっかり締めて固定し手すり本体１２をもとへ戻せば完了する。
【００２４】
また、本発明のブラケット本体及び台座の材質は金属製、合成樹脂製など種々のものを用いることができる。十分な強度と耐久性があればよい。
【００２５】
図４は本発明のブラケットの手すり受け部が回動自在なることを示している。この例にあるように手すり本体１２は垂直方向又は水平方向に設置可能であるが、場合によっては斜め方向に設置することも可能である。このように手すり本体の設置方向は自在である。
【００２６】
図５には本発明のブラケットを用いた場合の手すりの取り付け例が示されており、出隅部において、本発明のブラケット本体１の手すり受け部１ａを縦方向にセットし、手すり本体１２を垂直方向に間隔を開けて上下２カ所に取り付ける。その隙間に本発明の手すり受け部１ａを横方向にセットしてブラケット本体１を取り付け、手すり本体１２を水平方向に取り付ける。このようにして出隅部において、手すりを垂直水平交差方向に設置できるので、特にお年寄りや体の不自由な人にとって、いっそう使い勝手の良いものとなる。
【００２７】
【発明の効果】
以上のように、本発明の出隅用フレキシブルブラケットによれば、住宅内の壁面の出隅部に取り付けることができるブラケット用の台座が極めて簡単に精度良く形成でき、施工性が良好で、前記手すり受け部と支柱は接続ネジによって、回動自在に接続されているので、縦方向の手すりと横方向の手すりを同一のブラケットで取り付け可能であり、従って、出隅部に縦横交差方向に手すりを取り付けることが可能となるので、大変便利で、特にお年寄りや体の不自由な人にとって、大変使い勝手の良いものとなる。しかも、ブラケットの在庫も１種類で良いので大変経済的である。
【００２８】
また、前記分割体の凸曲面の断面形状及び取り付け座の凹曲面の断面形状が円弧状であり、前記手すり用ブラケットの取り付け座に取り付け用小孔を設け、該取り付け用小孔に合わせた取り付け用小孔を前記台座の凸曲面の正面、左右の３カ所又はそれ以上に設けたので、縦方向の手すりの場合、取り付け角度が正面方向以外に、正面から見て、右寄り又は左寄りの取り付け位置を自由に選択可能で、手すり取り付け位置がフレキシブルに自在なものとなるので、使用者特にお年寄りや体の不自由な人にとって、よりいっそう使い勝手の良いものとなる。
【図面の簡単な説明】
【図１】本発明のブラケットの実施形態の一例を示す斜視図。
【図２】本発明のブラケット本体の実施形態の一例を示す斜視図。
【図３】出隅部への取り付け状態を示す断面図。
【図４】本発明の回動自在な手すり受け部の説明図。
【図５】本発明のブラケットの出隅部への取り付け例を示す斜視図。
【図６】出隅コ−ナ−部へのブラケット取り付けの従来例を示す斜視図。
【符号の説明】
１　　　ブラケット本体
１ａ　　手すり受け部
１ｂ　　取り付け座
１ｃ　　支柱
１ｄ　　凹曲面
２　　　台座
２ａ　　分割体
３　　　傾斜底面
４　　　凸曲面
５　　　合接面
６　　　壁下地材
７　　　柱
ｐ　　　取り付け孔
ｓ　　　取り付け用小孔
Ｊ　　　接続ネジ
ｈ　　　回動孔
Ｍ　　　木ネジ
Ｎ　　　取り付けネジ
Ｄ　　　出隅部
１１　　従来のブラケット
１２　　手すり本体
Ｒ　　　面取り
【図１】
2004115996.tif 000003
【図２】
2004115996.tif 000004
【図３】
2004115996.tif 000005
【図４】
2004115996.tif 000006
【図５】
2004115996.tif 000007
【図６】
2004115996.tif 000008